【手続補正書】
【提出日】平成28年7月20日(2016.7.20)
【手続補正１】
【補正対象書類名】特許請求の範囲
【補正対象項目名】全文
【補正方法】変更
【補正の内容】
【特許請求の範囲】
【請求項１】
表示画面を表示する表示部と、
前記表示画面上に、処理対象のデータに対応するデータアイコンと、所定の機能に対応する機能アイコンとを移動可能に表示する表示制御手段と、
ユーザによる前記表示画面上で前記データアイコンを移動させる操作を受け付ける受付手段と、
前記受付手段が前記データアイコンを移動させる操作を受け付けた場合に、当該データアイコンの移動方向と対応する方向にある前記機能アイコンを特定する特定手段と、
前記データアイコンが前記機能アイコンに重なる前に、前記移動されたデータアイコンに対して、前記特定手段により特定された機能アイコンに設定された設定値に基づいて所定の機能の実行を受け付ける制御手段と
を備える、情報処理装置。
【請求項２】
前記受付手段により移動させる操作を受け付けたデータアイコンが、所定距離移動した後の位置または所定時間移動した後の位置を検出する検出手段と、
前記受付手段により移動させる操作を受け付ける前のデータアイコンの位置と、前記検出手段により検出されたデータアイコンの位置とに基づいて、前記データアイコンの移動方向を算出する算出手段と、
をさらに備え、
前記特定手段は、前記算出手段により算出された移動方向と、前記機能アイコンの位置とに基づいて、前記データアイコンの移動方向と対応する方向にある機能アイコンを特定する、請求項１に記載の情報処理装置。
【請求項３】
前記受付手段により移動させる操作を受け付けたデータアイコンの移動方向が変化したことを検出する変化検出手段をさらに備え、
前記変化検出手段によりデータアイコンの移動方向が変化したことが検出された場合に、前記算出手段は、前記変化検出手段により検出が行われたときの前記データアイコンの位置と、前記変化検出手段によりデータアイコンの移動方向が変化したことが検出された後、前記検出手段により検出された前記データアイコンが所定距離移動した後の位置または所定時間移動した後の位置とに基づいて、前記データアイコンの移動方向を算出する、請求項２に記載の情報処理装置。
【請求項４】
前記特定手段により特定された機能アイコンについて、表示態様を変更する機能アイコン変更手段をさらに備える、請求項１から３のいずれかに記載の情報処理装置。
【請求項５】
前記受付手段により移動させる操作を受け付けたデータアイコンと、前記特定手段により特定された機能アイコンとが対応付けられたことを描画する描画手段をさらに備える、請求項１から４のいずれかに記載の情報処理装置。
【請求項６】
前記描画手段は、前記受付手段により移動させる操作を受け付けたデータアイコンを、前記特定手段により特定された機能アイコンまで移動させるアニメーションを表示させる、請求項５に記載の情報処理装置。
【請求項７】
前記データアイコンを移動させる操作がドラッグ操作である、請求項１から６のいずれかに記載の情報処理装置。
【請求項８】
前記データアイコンを移動させる操作がフリック操作である、請求項１から６のいずれかに記載の情報処理装置。
【請求項９】
前記機能アイコンに設定値を設定する設定手段をさらに備える、請求項１から８のいずれかに記載の情報処理装置。
【請求項１０】
前記制御手段は、ユーザによる前記データアイコンを移動させる操作の終了に基づいて、前記所定の機能の実行を受け付ける、請求項１から９のいずれかに記載の情報処理装置。
【請求項１１】
前記制御手段は、前記データアイコンが前記機能アイコン上でドロップされた場合に、前記機能アイコンに対応する詳細設定画面が前記表示部に表示されるよう制御する、請求項１から１０のいずれかに記載の情報処理装置。
【請求項１２】
前記機能アイコンは、印刷機能を実行するための機能アイコンを含む、請求項１から１１のいずれかに記載の情報処理装置。
【請求項１３】
前記制御手段は、前記印刷機能を実行するための機能アイコンが、前記特定手段により特定された場合に、初期モードの設定値に基づく印刷の実行を受け付ける、請求項１２に記載の情報処理装置。
【請求項１４】
前記機能アイコンは、ファクシミリ送信機能を実行するための機能アイコンを含む、請求項１から１３のいずれかに記載の情報処理装置。
【請求項１５】
前記制御手段は、前記ファクシミリ送信機能を実行するための機能アイコンが、前記特定手段により特定された場合に、初期モードの設定値に基づく送信の実行を受け付ける、請求項１４に記載の情報処理装置。
【請求項１６】
前記機能アイコンは、情報送信機能を実行するための機能アイコンを含む、請求項１から１５のいずれかに記載の情報処理装置。
【請求項１７】
前記制御手段は、前記情報送信機能を実行するための機能アイコンが、前記特定手段により特定された場合に、所定の送信先への情報の送信の実行を受け付ける、請求項１６に記載の情報処理装置。
【請求項１８】
前記機能アイコンは、情報記憶機能を実行するための機能アイコンを含む、請求項１から１７のいずれかに記載の情報処理装置。
【請求項１９】
前記制御手段は、前記情報記憶機能を実行するための機能アイコンが、前記特定手段により特定された場合に、所定の記憶領域への情報の記憶の実行を受け付ける、請求項１８に記載の情報処理装置。
【請求項２０】
前記機能アイコンは、設定値に関するプログラム登録が行われている機能アイコンを含む、請求項１から１９のいずれかに記載の情報処理装置。
【請求項２１】
前記制御手段は、前記設定値に関するプログラム登録が行われている機能アイコンが、前記特定手段により特定された場合に、前記プログラム登録された設定値が反映された詳細設定画面の表示の実行を受け付ける、請求項２０に記載の情報処理装置。
【請求項２２】
前記機能アイコンは、前記情報処理装置において情報を生成する機能を実行するための機能アイコンを含み、
前記受付手段は、さらに、ユーザによる前記表示画面上で前記情報を生成する機能を実行するための機能アイコンを移動させる操作を受け付け、
前記特定手段は、前記情報を生成する機能を実行するための機能アイコンの移動方向と対応する方向にある機能アイコンを特定し、
前記制御手段は、前記情報を生成する機能を実行するための機能アイコンに基づいて生成された情報に対して、前記特定手段により特定された機能アイコンに設定された設定値に基づいて所定の機能の実行を受け付ける、請求項１から２１のいずれかに記載の情報処理装置。
【請求項２３】
原稿の画像を読み取る画像読取部をさらに備え、
前記機能アイコンは、前記画像読取部が原稿の画像を読み取る機能を実行するための機能アイコンを含み、
前記受付手段が、前記画像読取部が原稿の画像を読み取る機能を実行するための機能アイコンを移動させる操作を受け付けた場合に、前記特定手段は、当該原稿の画像を読み取る機能を実行するための機能アイコンの移動方向と対応する方向にある機能アイコンを特定し、
前記特定手段により特定された機能アイコンが、情報送信機能を実行するための機能アイコンである場合に、前記制御手段は、所定の送信先に前記画像読取部が読み取った画像の画像データの送信の実行を受け付ける、請求項２２に記載の情報処理装置。
【請求項２４】
表示画面を表示する表示部を備える情報処理装置の制御プログラムであって、
前記表示画面上に、処理対象のデータに対応するデータアイコンと、所定の機能に対応する機能アイコンとを移動可能に表示する表示制御ステップと、
ユーザによる前記表示画面上で前記データアイコンを移動させる操作を受け付ける受付ステップと、
前記受付ステップが前記データアイコンを移動させる操作を受け付けた場合に、当該データアイコンの移動方向と対応する方向にある前記機能アイコンを特定する特定ステップと、
前記データアイコンが前記機能アイコンに重なる前に、前記移動されたデータアイコンに対して、前記特定ステップにより特定された機能アイコンに設定された設定値に基づいて所定の機能の実行を受け付ける制御ステップとをコンピュータに実行させる、情報処理装置の制御プログラム。
【請求項２５】
前記受付ステップにより移動させる操作を受け付けたデータアイコンが、所定距離移動した後の位置または所定時間移動した後の位置を検出する検出ステップと、
前記受付ステップにより移動させる操作を受け付ける前のデータアイコンの位置と、前記検出ステップにより検出されたデータアイコンの位置とに基づいて、前記データアイコンの移動方向を算出する算出ステップと、
をさらにコンピュータに実行させ、
前記特定ステップは、前記算出ステップにより算出された移動方向と、前記機能アイコンの位置とに基づいて、前記データアイコンの移動方向と対応する方向にある機能アイコンを特定する、請求項２４に記載の情報処理装置の制御プログラム。
【請求項２６】
前記受付ステップにより移動させる操作を受け付けたデータアイコンの移動方向が変化したことを検出する変化検出ステップをさらにコンピュータに実行させ、
前記変化検出ステップによりデータアイコンの移動方向が変化したことが検出された場合に、前記算出ステップは、前記変化検出ステップにより検出が行われたときの前記データアイコンの位置と、前記変化検出ステップによりデータアイコンの移動方向が変化したことが検出された後、前記検出ステップにより検出された前記データアイコンが所定距離移動した後の位置または所定時間移動した後の位置とに基づいて、前記データアイコンの移動方向を算出する、請求項２５に記載の情報処理装置の制御プログラム。
【請求項２７】
前記特定ステップにより特定された機能アイコンについて、表示態様を変更する機能アイコン変更ステップをさらにコンピュータに実行させる、請求項２４から２６のいずれかに記載の情報処理装置の制御プログラム。
【請求項２８】
前記受付ステップにより移動させる操作を受け付けたデータアイコンと、前記特定ステップにより特定された機能アイコンとが対応付けられたことを描画する描画ステップをさらにコンピュータに実行させる、請求項２４から２７のいずれかに記載の情報処理装置の制御プログラム。
【請求項２９】
前記描画ステップは、前記受付ステップにより移動させる操作を受け付けたデータアイコンを、前記特定ステップにより特定された機能アイコンまで移動させるアニメーションを表示させる、請求項２８に記載の情報処理装置の制御プログラム。
【請求項３０】
前記データアイコンを移動させる操作がドラッグ操作である、請求項２４から２９のいずれかに記載の情報処理装置の制御プログラム。
【請求項３１】
前記データアイコンを移動させる操作がフリック操作である、請求項２４から２９のいずれかに記載の情報処理装置の制御プログラム。
【請求項３２】
前記機能アイコンに設定値を設定する設定ステップをさらにコンピュータに実行させる、請求項２４から３１のいずれかに記載の情報処理装置の制御プログラム。
【請求項３３】
前記制御ステップは、ユーザによる前記データアイコンを移動させる操作の終了に基づいて、前記所定の機能の実行を受け付ける、請求項２４から３２のいずれかに記載の情報処理装置の制御プログラム。
【請求項３４】
前記制御ステップは、前記データアイコンが前記機能アイコン上でドロップされた場合に、前記機能アイコンに対応する詳細設定画面が前記表示部に表示されるよう制御する、請求項２４から３３のいずれかに記載の情報処理装置の制御プログラム。
【請求項３５】
前記機能アイコンは、印刷機能を実行するための機能アイコンを含む、請求項２４から３４のいずれかに記載の情報処理装置の制御プログラム。
【請求項３６】
前記制御ステップは、前記印刷機能を実行するための機能アイコンが、前記特定ステップにより特定された場合に、初期モードの設定値に基づく印刷の実行を受け付ける、請求項３５に記載の情報処理装置の制御プログラム。
【請求項３７】
前記機能アイコンは、ファクシミリ送信機能を実行するための機能アイコンを含む、請求項２４から３６のいずれかに記載の情報処理装置の制御プログラム。
【請求項３８】
前記制御ステップは、前記ファクシミリ送信機能を実行するための機能アイコンが、前記特定ステップにより特定された場合に、初期モードの設定値に基づく送信の実行を受け付ける、請求項３７に記載の情報処理装置の制御プログラム。
【請求項３９】
前記機能アイコンは、情報送信機能を実行するための機能アイコンを含む、請求項２４から３８のいずれかに記載の情報処理装置の制御プログラム。
【請求項４０】
前記制御ステップは、前記情報送信機能を実行するための機能アイコンが、前記特定ステップにより特定された場合に、所定の送信先への情報の送信の実行を受け付ける、請求項３９に記載の情報処理装置の制御プログラム。
【請求項４１】
前記機能アイコンは、情報記憶機能を実行するための機能アイコンを含む、請求項２４から４０のいずれかに記載の情報処理装置の制御プログラム。
【請求項４２】
前記制御ステップは、前記情報記憶機能を実行するための機能アイコンが、前記特定ステップにより特定された場合に、所定の記憶領域への情報の記憶の実行を受け付ける、請求項４１に記載の情報処理装置の制御プログラム。
【請求項４３】
前記機能アイコンは、設定値に関するプログラム登録が行われている機能アイコンを含む、請求項２４から４２のいずれかに記載の情報処理装置の制御プログラム。
【請求項４４】
前記制御ステップは、前記設定値に関するプログラム登録が行われている機能アイコンが、前記特定ステップにより特定された場合に、前記プログラム登録された設定値が反映された詳細設定画面の表示の実行を受け付ける、請求項４３に記載の情報処理装置の制御プログラム。
【請求項４５】
前記機能アイコンは、前記情報処理装置において情報を生成する機能を実行するための機能アイコンを含み、
前記受付ステップは、さらに、ユーザによる前記表示画面上で前記情報を生成する機能を実行するための機能アイコンを移動させる操作を受け付け、
前記特定ステップは、前記情報を生成する機能を実行するための機能アイコンの移動方向と対応する方向にある機能アイコンを特定し、
前記制御ステップは、前記情報を生成する機能を実行するための機能アイコンに基づいて生成された情報に対して、前記特定ステップにより特定された機能アイコンに設定された設定値に基づいて所定の機能の実行を受け付ける、請求項２４から４４のいずれかに記載の情報処理装置の制御プログラム。
【請求項４６】
前記情報処理装置は、原稿の画像を読み取る画像読取部をさらに備え、
前記機能アイコンは、前記画像読取部が原稿の画像を読み取る機能を実行するための機能アイコンを含み、
前記受付ステップが、前記画像読取部が原稿の画像を読み取る機能を実行するための機能アイコンを移動させる操作を受け付けた場合に、前記特定ステップは、当該原稿の画像を読み取る機能を実行するための機能アイコンの移動方向と対応する方向にある機能アイコンを特定し、
前記特定ステップにより特定された機能アイコンが、情報送信機能を実行するための機能アイコンである場合に、前記制御ステップは、所定の送信先に前記画像読取部が読み取った画像の画像データの送信の実行を受け付ける、請求項４５に記載の情報処理装置の制御プログラム。
【手続補正２】
【補正対象書類名】明細書
【補正対象項目名】発明の名称
【補正方法】変更
【補正の内容】
【発明の名称】情報処理装置及び情報処理装置の制御プログラム